【事件の表示】
　特許第３１４７３３９号「ファインダ装置」の請求項１に係る特許に対する特許異議の申立てについて、次のとおり決定する。
【結　論】
　訂正を認める。
　特許第３１４７３３９号の請求項１に係る特許を維持する。
【理　由】
［１］手続の経緯
　本件特許３１４７３３９号の発明は、平成３年１１月２８日に特許出願され、平成１３年１月１２日にその特許の設定登録がなされ、その後、小塚浩から特許異議の申立がなされ、取消理由が通知され、その指定期間内である平成１４年２月４日に訂正請求がなされたものである。
　
［２］訂正の適否についての判断
［２−１］訂正の内容
　特許権者が求めている訂正の内容は、以下のとおりの訂正事項である。
（１）特許請求の範囲の請求項１を、
「【請求項１】鏡筒の一端に配置された接眼レンズを介して、
前記鏡筒の他端に配置された
　
前記鏡筒の断面の径は、前記映像表示装置の画面に近似する大きさとし、
前記鏡筒の外周面に、信号処理用およびバックライト用の回路基板を配置し、
光路に平行して連続的に配置された鋸歯状の突起から成る
　
前記鋸歯状の突起は、前記映像表示装置側がほぼ垂直とされ、前記接眼レンズ側が斜面とされている
（２）発明の詳細な説明の項の段落１０の、「本発明は、鏡筒の一端に配置された接眼レンズを介して、撮映像を映し出す映像表示装置の画面を見る方式のファインダ装置に係る。」とあるのを、「本発明は、鏡筒の一端に配置された接眼レンズを介して、鏡筒の他端に配置された撮映像を映し出す映像表示装置の画面を見る方式のファインダ装置において、鏡筒の断面の径は、映像表示装置の画面に近似する大きさとし、鏡筒の外周面に、信号処理用およびバックライト用の回路基板を配置し、鏡筒内面に、映像表示装置の画面から拡散した光が反射するのを防止するための光路に平行して連続的に配置された鋸歯状の突起から成る光反射防止手段を有し、鋸歯状の突起は、映像表示装置側がほぼ垂直とされ、接眼レンズ側が斜面とされていることを特徴とする。」と訂正する。
（３）発明の詳細な説明の項の段落１１を削除する。
（４）発明の詳細な説明の項の段落１２の、「上記構成のファインダ装置においては、映像表示装置の画面から拡散した光は、鏡筒内面の不織布により、鏡筒内面での反射が防止される。」を、「上記構成のファインダ装置においては、映像表示装置の画面から拡散した光は、鏡筒内面の光路に平行して連続に配置され、映像表示装置側がほぼ垂直とされ、接眼レンズ側が斜面とされた鋸歯状の突起により、鏡筒内面での反射が防止される。」と訂正する。
　
［２−２］訂正の目的の適否、新規事項の有無及び拡張・変更の存否
　訂正事項（１）は、特許明細書の実施例の、第２図とその説明部分（段落２３）及び関連記載（段落２１）の記載に基いて、特許明細書の特許請求の範囲の、「撮映像を映し出す映像表示装置」を「 
前記鏡筒の他端に配置された
光路に平行して連続的に配置された鋸歯状の突起から成る
前記鋸歯状の突起は、前記映像表示装置側がほぼ垂直とされ、前記接眼レンズ側が斜面とされている
前記鏡筒の断面の径は、前記映像表示装置の画面に近似する大きさとし、前記鏡筒の外周面に、信号処理用およびバックライト用の回路基板を配置し、
　訂正事項（２）（３）（４）は、特許請求の範囲の訂正にともない、対応する箇所を訂正するものであり、明りょうでない記載の釈明に該当する。
　よって、上記訂正は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。
　
［２−３］
　以上のとおりであるから、上記訂正は、特許法第１２０条の４第２項及び第３項で準用する特許法第１２６条第２項ないし第３項、及び特許法等の一部を改正する法律（平成６年法律第１１６号）附則第６条第１項の規定に適合するので、当該訂正を認める。
　
［３］特許異議の申立についての判断
［３−１］申立の理由の概要
　申立人小塚浩は、証拠として、
　甲第１号証（実願昭５９−９８４８４号（実開昭６１−１６５０２号）のマイクロフィルム、以下「刊行物１」という。）、
　甲第２号証（実願平１−１５５１５号（実開平２−１０６７７０号）のマイクロフィルム、以下「刊行物２」という。）、及び、
　甲第３号証（実願昭５７−１７６２５９号（実開昭５９−５１３３１号）のマイクロフィルム、以下「刊行物３」という。）
を提出し、特許請求の範囲の請求項１に係る発明についての特許は、特許法第２９条第２項の規定に違反してなされたものであるので、特許を取り消すべきものと主張している。
　
［３−２］本件発明
　上記訂正請求により訂正された訂正明細書の特許請求の範囲の請求項１に係る発明は、その請求項１に記載されたとおりのものである。
「【請求項１】　上記［２−１］（１）」
　
［３−３］刊行物記載の発明
（１）　本件請求項１に係る発明に対して、当審が通知した取消理由で引用した刊行物１は、「変倍ファインダ」に関するもので、
　（１−１）　「目的とするところは、ファインダ内の内面反射が少なく被写体像や光像枠が明瞭に観察し得る変倍ファインダを提供することにある。」（刊行物１明細書４頁７〜１０行）、
　（１−２）　「５は同一光軸上にある各レンズ１，２，３，４，を支持すると共に遮光機能をもつファインダ枠であり」（同明細書５頁７〜９行）、及び、
　（１−３）　「この遮光板は、（中略）その傾斜面には、細く鋭い溝が光軸に直方する方向に平行に削成されてなる、いわゆる遮光線６ａおよび６ｂが形成され」（同明細書６頁２〜７行、第１図、第２図）と記載されている。
（２）　同じく引用した刊行物２には、「ビューファインダー」に関し、液晶表示パネル１と、パネル回路基板２と、液晶表示パネル１の背面側に配置された平型発光体１５と、接眼レンズ１１を備えるビューファインダーが、記載されている（刊行物２明細書４頁９行〜５頁２行）。
（３）　同じく引用した刊行物３には、「一眼レフレックスカメラのファインダー内ゴースト防止装置」に関し、「ペンタプリズム用枠体の内壁面に遮光用突出部が設けられていて、この内壁面に向かって入射し同内壁面で反射する被写体光が遮られるようになっているので枠体の内面反射によるゴーストの発生が防止され良好なファインダー視野が得られる」（刊行物３明細書１１頁１行〜６行）ことが記載されている。　　　　　　　　　　　　
　
［３−４］対比・判断
　本件請求項１に係る発明と、刊行物２に記載された発明と対比すると、刊行物２の「ビューファインダー」「液晶表示パネル」は、それぞれ本件請求項１に係る発明の「ファインダ装置」「映像表示装置」に対応している。
　本件請求項１に係る発明と刊行物２に記載された発明は、「ケースの一端に配置された接眼レンズを介して、前記ケースの他端に配置された撮映像を映し出す映像表示装置の画面を見る方式のファインダ装置」であるという点で共通している。
　しかしながら、本件請求項１に係る発明は、「鏡筒の断面の径は、前記映像表示装置の画面に近似する大きさとし、前記鏡筒の外周面に、信号処理用およびバックライト用の回路基板を配置し、前記鏡筒内面に、前記映像表示装置の画面から拡散した光が反射するのを防止するための光路に平行して連続的に配置された鋸歯状の突起から成る光反射防止手段を有し、前記鋸歯状の突起は、前記映像表示装置側がほぼ垂直とされ、前記接眼レンズ側が斜面とされている」構成を、必須の構成要件とするのに対して、刊行物２には、上記構成が記載されておらず、示唆もない。
  また、刊行物１には、光反射防止手段として細く鋭い溝が記載されているのみで、上記構成が記載されておらず示唆もない。
　刊行物３には、内壁面に突出部を設ける光反射手段が記載されているのみで、上記構成は記載されておらず示唆もない。
　上記構成について、いずれの刊行物にも記載されておらず、刊行物１〜３に記載されたものを組み合わせても具体的な構成を得ることはできない。そして、上記構成により、「鏡筒の内面に光反射防止手段を有するので、映像表示装置の画面に合わせて鏡筒径を小さくした装置の小型化が図れる。また、これにより、液晶表示パネルを映像表示装置として用いた場合でも、信号処理用およびバックライト用の回路基板等を鏡筒回りに配置することが可能となる」（段落２７）という明細書記載の顕著な効果を奏している。
　よって、本件請求項１に係る発明は刊行物１〜３に記載された発明に基づいて容易に発明をすることができたものではない。
　
［４］むすび
　以上のとおりであるから、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１４年２月１４日（２００２．２．１４）
【訂正の要旨】
　訂正の要旨
　▲１▼特許請求の範囲の請求項１を、
　「【請求項１】　鏡筒の一端に配置された接眼レンズを介して、
前記鏡筒の他端に配置された
　
前記鏡筒の断面の径は、前記映像表示装置の画面に近似する大きさとし、
　
前記鏡筒の外周面に、信号処理用およびバックライト用の回路基板を配置し、
　前記鏡筒内面に、前記映像表示装置の画面から拡散した光が反射するのを防止するための光路
に平行して連続的に配置された鋸歯状の突起から成る
　
前記鋸歯状の突起は、前記映像表示装置側がほぼ垂直とされ、前記接眼レンズ側が斜面とされている
ことを特徴とするファインダ装置。」と訂正する。
　▲２▼明細書の番号１０の段落の第２行目および３行目の記載「本発明は、鏡筒の一端に配置された接眼レンズを介して、撮映像を映し出す映像表示装置の画面を見る方式のファインダ装置に係る。」を、「本発明は、鏡筒の一端に配置された接眼レンズを介して、鏡筒の他端に配置された撮映像を映し出す映像表示装置の画面を見る方式のファインダ装置において、鏡筒の断面の径は、映像表示装置の画面に近似する大きさとし、鏡筒の外周面に、信号処理用およびバックライト用の回路基板を配置し、鏡筒内面に、映像表示装置の画面から拡散した光が反射するのを防止するための光路に平行して連続的に配置された鋸歯状の突起から成る光反射防止手段を有し、鋸歯状の突起は、映像表示装置側がほぼ垂直とされ、接眼レンズ側が斜面とされていることを特徴とする。」と訂正する。
　▲３▼明細書の番号１１の段落を削除する。
　▲４▼明細書の番号１２の段落の第２行目および３行目の記載「上記構成のファインダ装置においては、映像表示装置の画面から拡散した光は鏡筒内面の不織布により、鏡筒内面での反射が防止される。」を、「上記構成のファインダ装置においては、映像表示装置の画面から拡散した光は、鏡筒内面の光路に平行して連続的に配置され、映像表示装置側がほぼ垂直とされ、接眼レンズ側が斜面とされた鋸歯状の突起により、鏡筒内面での反射が防止される。」と訂正する。
（５４）【発明の名称】
ファインダ装置
（５７）【特許請求の範囲】
　【請求項１】　鏡筒の一端に配置された接眼レンズを介して、前記鏡筒の他端に配置された撮映像を映し出す映像表示装置の画面を見る方式のファインダ装置において、
　前記鏡筒の断面の径は、前記映像表示装置の画面に近似する大きさとし、
　前記鏡筒の外周面に、信号処理用およびバックライト用の回路基板を配置し、
　前記鏡筒内面に、前記映像表示装置の画面から拡散した光が反射するのを防止するための光路に平行して連続的に配置された鋸歯状の突起から成る光反射防止手段を有し、
　前記鋸歯状の突起は、前記映像表示装置側がほぼ垂直とされ、前記接眼レンズ側が斜面とされている
ことを特徴とするファインダ装置。
【発明の詳細な説明】
　【０００１】
　【産業上の利用分野】
　本発明は、ビデオカメラ等に備えられるファインダ装置（のぞき窓）に関する。
　【０００２】
　【従来の技術】
　ビデオカメラのファインダ装置として、鏡筒の一端に配置された接眼レンズを介して、撮映像を映し出すブラウン管（ＣＲＴ）、液晶表示パネル（ＬＣＤ）等の映像表示装置の画面を見るものが知られている。
　【０００３】
　図４は従来例のファインダ装置を示す。
　【０００４】
　ここでは、撮映像が映像表示装置としてのブラウン管１の画面２に映し出されるようになっており、このブラウン管１の画面２を鏡筒３の一端に配置された接眼レンズ４を介して見る。
　【０００５】
　ところで、この方式のファインダ装置においては、映像表示装置（ブラウン管１）の画面２から拡散した光Ｌが鏡筒３の内面で反射して、反射光の映り込みが生じてしまう問題がある。
　【０００６】
　そこで、従来、この問題を解決するための対策として、反射光の映り込みが生じない程度に、光路５回りに十分な空間Ａを設けている。
　【０００７】
　【発明が解決しようとする課題】
　しかし、このような従来対策の場合、映像表示装置（ブラウン管１）の画面２の大きさに較べて、鏡筒３の径が無用な大きさになってしまい、ファインダ装置の大型化につながる欠点があった。
　【０００８】
　特に、液晶表示パネルを映像表示装置として用いた場合には、ブラウン管１を映像表示装置として用いた場合よりも鏡筒３の径を大きくせねばならない。このために、信号処理用およびバックライト用の回路基板を鏡筒３回りに配置することが困難となり、回路基板は液晶表示パネルの画面を照明するためのバックライトの背面側に配置せねばならなかった。
　【０００９】
　そこで本発明は、上述の如き事情に鑑みてなされたもので、鏡筒を小径とした装置の小型化が可能となり、信号処理用およびバックライト用の回路基板等の鏡筒回りへの配置も可能となるファインダ装置を提供することを目的とする。
　【００１０】
　【課題を解決するための手段】
　本発明は、鏡筒の一端に配置された接眼レンズを介して、鏡筒の他端に配置された撮映像を映し出す映像表示装置の画面を見る方式のファインダ装置において、鏡筒の断面の径は、映像表示装置の画面に近似する大きさとし、鏡筒の外周面に、信号処理用およびバックライト用の回路基板を配置し、鏡筒内面に、映像表示装置の画面から拡散した光が反射するのを防止するための光路に平行して連続的に配置されだ鋸歯状の突起から成る光反射防止手段を有し、鋸歯状の突起は、映像表示装置側がほぼ垂直とされ、接眼レンズ側が斜面とされていることを特徴とする。
　【００１１】
　【００１２】
　【作用】
　上記構成のファインダ装置においては、映像表示装置の画面から拡散した光は、鏡筒内面の光路に平行して連続的に配置され、映像表示装置側がほぼ垂直とされ、接眼レンズ側が斜面とされた鋸歯状の突起により、鏡筒内面での反射が防止される。
　【００１３】
　従って、光路回りに空間を設けなくても反射光の映り込みは生じなく、鏡筒径を映像表示装置の画面の大きさに近づけることができる。
　【００１４】
　これにより、鏡筒を小径とした装置の小型化が図れる。また、液晶表示パネルを映像表示装置として用いた場合にも、信号処理用およびバックライト用の回路基板等を鏡筒回りに配置することが可能となる。
　【００１５】
　【実施例】
　以下、本発明の実施例を図面に基づいて説明する。
　【００１６】
　＜実施例１＞
　図１は本発明の実施例１に係るファインダ装置の構成を示す。
　【００１７】
　なお、本ファインダ装置において、上記従来例のファインダ装置と同一の部材には同一符号を付すとともに、構成的、機能的に変わらないものについてはその説明を省略する。
　【００１８】
　本ファインダ装置においては、液晶表示パネル６を映像表示装置として用いている。この液晶表示パネル６の画面８は背面に配置されたバックライト７により照明される。
　【００１９】
　このようなファインダ装置の鏡筒３の内周面には、液晶表示パネル６の画面８から拡散した光Ｌを鏡筒３の内周面で反射させないための不織布（光反射防止手段）１１が不図示の接着剤により貼着されている。
　【００２０】
　そして、このように、内周面に不織布１１を有する鏡筒３の径は、液晶表示パネル６の画面８に近似する大きさとなるように設定されている。
　【００２１】
　また、このように、液晶表示パネル６の画面８に合わせて小径化された鏡筒３の外周面上には、信号処理用およびバックライト用の回路基板１２等が配置されている。
　【００２２】
　＜実施例２＞
　図２は本発明の実施例２に係るファインダ装置の構成を示す。
　【００２３】
　本実施例のファインダ装置においては、上記実施例１のファインダ装置が鏡筒３の内周面に不織布１１を貼着したのに対し、鏡筒３の内周面に、鋸歯状の連続突起（光反射防止手段）１３を形成している。
　【００２４】
　＜実施例３＞
　図３は本発明の実施例３に係るファインダ装置の構成を示す。
　【００２５】
　本実施例は、ブラウン管１を映像表示装置として用いた場合を示す。
　【００２６】
　なお、鏡筒３の内周面に設ける光反射防止手段としては、上記不織布１１、連続突起１３のほか、例えば反射防止塗膜等があり、不織布１１、連続突起１３をこの反射防止塗膜等変更することが可能である。
　【００２７】
　【発明の効果】
　以上説明したように、本発明のファインダ装置によれば、鏡筒の内面に光反射防止手段を有するので、映像表示装置の画面に合わせて鏡筒径を小さくした装置の小型化が図れる。
　また、これにより、液晶表示パネルを映像表示装置として用いた場合でも、信号処理用およびバックライト用の回路基板等を鏡筒回りに配置することが可能となる。
【図面の簡単な説明】
　【図１】
　本発明の実施例１に係るファインダ装置の構成を示す縦断側面図
　【図２】
　本発明の実施例２に係るファインダ装置の構成を示す縦断側面図
　【図３】
　本発明の実施例３に係るファインダ装置の構成を示す縦断側面図
　【図４】
　従来例のファインダ装置の構成を示す縦断側面図
　【符号の説明】
　１　ブラウン管（映像表示装置）
　２　ブラウン管の画面
　３　鏡筒
　４　接眼レンズ
　６　液晶表示パネル（映像表示装置）
　８　液晶表示パネルの画面
　１１　不織布（光反射防止手段）
　１３　連続突起（光反射防止手段）
　Ｌ　液晶表示パネル画面、ブラウン管画面からの拡散光